(57)【特許請求の範囲】
【請求項１】
車両の情報を表示する表示部が設けられている表示手段と、前記表示部を発光表示させる第１の光源と、を備えた車両用表示装置において、
前記表示部に装飾を施すための第２の光源と、
前記表示手段の前面に配置されるとともに前記第２の光源の光を前記表示部まで導く導光手段と、を備え、
前記導光手段には、前記表示部に対応する部分の周囲の少なくとも一部に溝部が形成されている
ことを特徴とする車両用表示装置。
【請求項２】
前記表示部が前記車両におけるウォーニングを示す意匠であって、
前記導光手段には、前記ウォーニングを示す意匠に対応する部分の周囲の少なくとも一部に前記溝部が形成されていることを特徴とする請求項１に記載の車両用表示装置。
【請求項３】
前記溝部が、前記表示手段と向かい合う側に形成されていることを特徴とする請求項１または２に記載の車両用表示装置。
【発明の詳細な説明】
【技術分野】
【０００１】
本発明は、車両に搭載される計器等に用いられる車両用表示装置に関する。
【背景技術】
【０００２】
自動車等の車両に搭載される計器は、ステッパモータ等の内機を用いて指針を駆動し、文字板に印刷された目盛を指示させ、その周囲に印刷された数字を視認することにより、速度等の車両情報を運転手に与えている（例えば特許文献１、２を参照）。
【０００３】
従来の計器としての自動車用メータを図４および図５を参照して説明する。自動車用メータ１０１は、速度計１０２と、ウォーニング部１０３と、見返し１０４と、表ガラス１０５と、ケース１０６と、配線板１０７と、を備えている。
【０００４】
速度計１０２は、目盛、数字等が印刷された文字板１０２ａと、文字板１０２ａの正面に配置され図示しない内機により駆動される指針１０２ｂと、文字板１０２ａの下部に配置され、液晶ディスプレイで構成されたＯＤＯ／ＴＲＩＰメータ１０２ｃと、を備えている。
【０００５】
ウォーニング部１０３は、表示板１０３ａを備え、表示板１０３ａにはウォーニング１０３ｂが形成されている。表示板１０３ａは、図５に示したように、その表面のうちウォーニング１０３ｂ以外の部分が遮光印刷されており、ウォーニング１０３ｂは、ウォーニングの記号等が印刷された意匠部１０３ｂ１と、後述する光源１０７ａからの光が透過する出光部１０３ｂ２と、から構成されている。
【０００６】
見返し１０４は、速度計１０２とウォーニング部１０３以外の表示不要部分を覆う。表ガラス１０５は、速度計１０２、ウォーニング部１０３、見返し１０４などの正面を覆う。
【０００７】
ケース１０６は、速度計１０２、ウォーニング部１０３、見返し１０４および配線板１０７などを収容する。また、ケース１０６は、ウォーニング１０３ｂに対応する部分が、後述する光源１０７ａからの光を表示板１０３ａに向かって出射できるようにするために孔が設けられている。また、この孔は、配線板１０７が位置付けられる部分よりも表示板１０３ａが位置付けられる部分が大きくなるように、つまり、図５に示すように配線板１０７から表示板１０３ａに向かって斜面を形成し、この斜面部分は、光源１０７ａからの光を反射する反射面１０６ａとなっている。
【０００８】
配線板１０７は、自動車用メータ１０１を動作させるための電子回路を構成する電子部品等が搭載されている。また、配線板１０７は、ウォーニング１０３ｂを発光させるための光源１０７ａが設けられている。
【０００９】
図４および図５に示された自動車用メータ１０１のウォーニング部１０３は、図示しない各種センサ等によりウォーニングを発するべき状況が検出された場合は、当該ウォーニング１０３ｂに対応する光源１０７ａが発光することで、ウォーニング１０３ｂが発光表示される。
【先行技術文献】
【特許文献】
【００１０】
【特許文献１】特開２００７−１７１６５号公報
【特許文献２】特開２００６−３１７１５４号公報
【発明の概要】
【発明が解決しようとする課題】
【００１１】
上述した自動車用メータ１０１は、速度計１０２に関しては、特許文献１、２に示したように照明演出や文字板の立体化等により装飾が施されることが多いが、ウォーニング部１０３などの意匠等を点灯表示させて情報を表示する部分については、装飾のバリエーションが少なく乏しいものとなっていた。
【００１２】
そこで、本発明は、ウォーニング部などの車両の情報を表示する部分においても装飾性豊かな表現が可能となる車両用表示装置を提供することを課題とする。
【課題を解決するための手段】
【００１３】
上記課題を解決するためになされた請求項１に記載の発明は、車両の情報を表示する表示部が設けられている表示手段と、前記表示部を発光表示させる第１の光源と、を備えた車両用表示装置において、前記表示部に装飾を施すための第２の光源と、前記表示手段の前面に配置されるとともに前記第２の光源の光を前記表示部まで導く導光手段と、を備え、前記導光手段には、前記表示部に対応する部分の周囲の少なくとも一部に溝部が形成されていることを特徴とする車両用表示装置である。
【００１４】
請求項２に記載の発明は、請求項１に記載の発明において、前記表示部が前記車両におけるウォーニングを示す意匠であって、前記導光手段には、前記ウォーニングを示す意匠に相当する部分の周囲の少なくとも一部に前記溝部が形成されていることを特徴とするものである。
【００１５】
請求項３に記載の発明は、請求項１または２に記載の発明において、前記溝部が、前記表示手段と向かい合う側に形成されていることを特徴とするものである。
【発明の効果】
【００１６】
請求項１に記載の発明によれば、装飾用の第２の光源を導光する導光手段には、表示部に対応する部分の周囲の少なくとも一部に溝部が形成されているので、第２の光源からの光を溝部で反射して、第１の光源で発光している表示部の周囲が発光しているように視認でき、表示部の表示を害することなく、装飾性豊かな表現が可能となる。
【００１７】
請求項２に記載の発明によれば、車両のウォーニングを示す意匠であるので、ウォーニングの表示部分の周囲が第２の光源によって発光しているように視認でき、車両のウォーニングを示す意匠の表示を害することなく、装飾性豊かな表現が可能となる。
【００１８】
請求項３に記載の発明によれば、溝部が、表示手段と向かい合う側に形成されているので、溝部で反射された光が車両用表示装置の表面側に向かって反射することができ、第２の光源による発光がより明るく視認することができる。
【図面の簡単な説明】
【００１９】
【図１】本発明の一実施形態にかかる車両用表示装置としての自動車用メータの正面図である。
【図２】図１に示された自動車用メータの断面図である。
【図３】図１に示された自動車用メータの断面斜視図である。
【図４】従来の自動車用メータの正面図である。
【図５】図４に示された自動車用メータのウォーニング部分の断面図である。
【発明を実施するための形態】
【００２０】
次に、本発明の一実施形態を図１ないし図３を参照して説明する。図１は、本発明の一実施形態にかかる車両用表示装置としての自動車用メータ１の正面図である。図２は、図１に示された自動車用メータ１の断面図である。図３は、図１に示された自動車用メータ１の断面斜視図である。
【００２１】
本発明の一実施形態にかかる自動車用メータ１は図１ないし図３に示したように、速度計２と、ウォーニング部３と、見返し４と、表ガラス５と、ケース６と、配線板７と、裏カバー８と、を備えている。
【００２２】
速度計２は、目盛、数字等が印刷された文字板２ａと、文字板２ａの正面に配置され図示しない内機により駆動される指針２ｂと、文字板２ａの下部に配置され、液晶ディスプレイで構成されたＯＤＯ／ＴＲＩＰメータ２ｃと、を備えている。
【００２３】
ウォーニング部３は、図２や図３に示すように第１ウォーニングレンズ３ａと、ウォーニングプリズム３ｃと、第２ウォーニングレンズ３ｄと、を備えている。表示手段としての第１ウォーニングレンズ３ａは、自動車におけるウォーニングを示す意匠であるウォーニング意匠３ｂが、例えば地色に対する抜き印刷などで形成されている。つまり、ウォーニング意匠が特許請求の範囲の表示部に相当する。
【００２４】
導光手段としてのウォーニングプリズム３ｃは、第１ウォーニングレンズ３ａの前面に設けられ（配置され）、クリア（透明）な材質で形成されて、後述する第２光源７ｂから光を導光する。ウォーニングプリズム３ｃは、その端部に第２光源７ｂからの光が入射する入射部３ｃ１が設けられている。また、ウォーニングプリズム３ｃは、第１ウォーニングレンズ３ａと向かい合う面にＶ字状の切り込み（溝部）３ｃ２が形成されている。さらに、ウォーニングプリズムに３ｃには、第２光源７ｂからの光にムラ等が起こらないようにする調光用の孔３ｃ３が設けられている。なお、調光用の孔３ｃ３は、必ずしも設けなくてもよい。
【００２５】
第２ウォーニングレンズ３ｄは、ウォーニングプリズム３ｃの前面に設けられている。第２ウォーニングレンズ３ｄは、図３に示したように、少なくとも第１ウォーニングレンズ３ａのウォーニング意匠３ｂが設けられている部分に対応する部分３ｄ１はクリア（透明）に形成されている。また、ウォーニング表示領域以外はケース６や第２光源７ｂなどを隠すための遮光印刷による覆い部３ｄ２となっている。
【００２６】
見返し４は、速度計２とウォーニング部３以外の表示不要部分を覆う。表ガラス５は、速度計２、ウォーニング部３、見返し４などの正面を覆う。
【００２７】
ケース６は、速度計２、ウォーニング部３、見返し４および配線板７などを収容する。また、ケース６は、図２や図３に示したように、ウォーニング意匠３ｂに対応する部分に、後述する第１光源７ａを通して、第１光源７ａからの光が第１ウォーニングレンズ３ａに向かって出射するウォーニング室６ａが設けられている。即ち、表示すべきウォーニングに対応する第１光源７ａが発光すると、その光はウォーニング室６ａに入射して、対応するウォーニング意匠３ｂのみが発光表示される。
【００２８】
配線板７は、自動車用メータ１を動作させるための電子回路等を構成する電子部品等が搭載され、各電子部品等が配線で接続されている。また、配線板７は、ウォーニング意匠３ｂを発光表示させるための第１光源７ａが各ウォーニング意匠３ｂに対応して設けられている。第１光源７ａの発光色は表示すべきウォーニングの発光色に合わせて設定すればよい。また、配線板７には、ウォーニングプリズム３ｃの入射部３ｃ１に対応する位置に第２光源７ｂが設けられている。第２光源７ｂは、ウォーニングプリズム３ｃの入射部３ｃ１へ光を出射する。第２光源７ｂは、例えば白色の光源とするが、別の色でも構わない。
【００２９】
裏カバー８は、配線板７の裏側、即ち、第１光源７ａ、第２光源７ｂの設けられていない側から配線板７等を覆うカバーである。
【００３０】
上述した構成の自動車用メータ１のウォーニング部３における発光動作を説明する。図示しない各種センサ等によりウォーニングを発するべき状況が検出された場合は、当該ウォーニング意匠３ｂに対応する第１光源７ａが発光することで、ウォーニング意匠３ｂが発光表示される。この際、ウォーニングプリズム３ｃと、第２ウォーニングレンズ３ｄはクリアに形成されているので、ウォーニング意匠３ｂの表示を妨げない。
【００３１】
一方、第２光源７ｂから出射した光は、入射部３ｃ１からウォーニングプリズム３ｃに入射する。ウォーニングプリズム３ｃに入射した光はウォーニングプリズム３ｃ内に導光される。導光された光のうち、切り込み３ｃ２に衝突した光はウォーニング部３の表面に向かって反射される。切り込み３ｃ２は、図１に示したように、ウォーニング意匠３ｂの周囲に設けられているので、ウォーニング意匠３ｂの周りに第２光源の発光色である白色の光が環状に光るように視認される。つまり、第２光源７ｂは、ウォーニング意匠３ｂに装飾を施すために設けられている。
【００３２】
本実施形態によれば、ウォーニング部３が、ウォーニング意匠３ｂが設けられている第１ウォーニングレンズ３ａ、ウォーニング意匠３ｂを発光表示させる光源とは異なる第２光源７ｂからの光を導光するウォーニングプリズム３ｃ、ウォーニング部３の表面となる第２ウォーニングレンズ３ｄを順次重ねて構成し、ウォーニングプリズム３ｃの第１ウォーニングレンズ３ａと向かい合う側に、ウォーニング意匠３ｂの周囲を囲むように切り込み３ｃ２を設けているので、ウォーニング意匠３ｂの発光とは別に、ウォーニング意匠３ｂの周囲に発光が行われる。ウォーニングプリズム３ｃや第２ウォーニングレンズ３ｄはクリアであるために、ウォーニング意匠３ｂを害することなくウォーニング部３の装飾が実現できる。
【００３３】
なお、第２光源７ｂは１つに限らず、複数設けてもよい。また、ウォーニングプリズム３ｃを複数に分割し、それぞれに第２光源７ｂを設けるようにしてもよい。
【００３４】
また、１つの環状の発光が１つのウォーニング意匠３ｂの周囲に行われるように切り込み３ｃ２を設けるに限らず、図１に示したように、１つの環状の発光が複数のウォーニング意匠３ｂの周囲に行われるように切り込み３ｃ２を設けてもよい。また、囲む形状も円状に限らず、四角形などの多角形や他の形状でもよい。また、完全にウォーニング意匠３ｂを囲まない形状でもよく、要するに、少なくともウォーニング意匠の周囲の一部が発光するように切り込み３ｃ２（溝部）を設ければよい。
【００３５】
また、切り込み３ｃ２は、Ｖ字状に限らずＵ字状などウォーニング部３表面、つまり、運転者などと対面する側に向かって光を反射できる形状であればよい。
【００３６】
なお、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００３７】
１     自動車用メータ（車両用表示装置）
３     ウォーニング部
３ａ   第１ウォーニングレンズ（表示手段）
３ｂ   ウォーニング意匠（表示部）
３ｃ   ウォーニングプリズム（導光手段）
３ｃ２ 切り込み（溝部）
３ｄ   第２ウォーニングレンズ
７ａ   第１光源（第１の光源）
７ｂ   第２光源（第２の光源）
【図１】
0005800683.tif 000002
【図２】
0005800683.tif 000003
【図３】
0005800683.tif 000004
【図４】
0005800683.tif 000005
【図５】
0005800683.tif 000006